(57)【要約】  画像読取装置（２００）は、カバー（５）の前方側が原稿台（４０）に対して第１距離（Ｌ１）以内にあることを検知する第１検知部（４５）と、開閉支持部（４４）が前記原稿台（４０）に対して第２距離（Ｌ２）以内にあることを検知する第２検知部（４６）と、制御部（８）とを備える。制御部（８）が、第１検知部（４５）による第１検知情報と第２検知部（４６）による第２検知情報とをそれぞれ取得するとともに、第１検知情報及び第２検知情報に基づいて、セットされた原稿が一定以上の厚さを有する原稿であるか否かを識別する。
2018135441.tif 000002
【特許請求の範囲】
【請求項１】
読込面を備えた原稿台と、
前記読込面にセットされた原稿の画像を読み取る画像読取部と、
前記原稿台に設けられて前記読込面を開閉するカバーと、
前記原稿台に対して接近離間可能であり、前記原稿台の前記読込面よりも後方側に設けられて前記カバーの前方側が前記原稿台に接近離間可能に支持する開閉支持部と、
前記カバーの前方側が前記原稿台に対して第１距離以内にあることを検知する第１検知部と、
前記開閉支持部が前記原稿台に対して第２距離以内にあることを検知する第２検知部と、
制御部と、を備え、
前記制御部は、前記第１検知部による第１検知情報と前記第２検知部による第２検知情報とをそれぞれ取得するとともに、前記第１検知情報及び前記第２検知情報に基づいて、セットされた原稿が一定以上の厚さを有する原稿であるか否かを識別することを特徴とする画像読取装置。
【請求項２】
前記第１距離と前記第２距離とが同じ距離である請求項１に記載の画像読取装置。
【請求項３】
前記制御部は、識別された原稿の種類に基づいて、前記画像読取部による原稿読み取り設定を変更する請求項１に記載の画像読取装置。
【請求項４】
前記制御部は、識別された原稿の種類に基づいて、前記画像読取部で読み取られた画像データに対する画像処理の設定を決定する請求項１に記載の画像読取装置。
【請求項５】
前記第１検知部は、前記カバーの前方側が前記原稿台に対して第１距離以内のときにＯＮになり、前記第２検知部は、前記開閉支持部が前記原稿台に対して第２距離以内のときにＯＮになり、
前記制御部は、前記第１検知部のみＯＮのときにはカバーが開かれていると識別し、前記第１検知部及び前記第２検知部の両方がＯＮのときにはシート状の原稿であると識別し、前記第１検知部及び前記第２検知部のいずれもＯＮではないときには一定以上の厚さを有する原稿であると識別する請求項１に記載の画像読取装置。
【請求項６】
前記第１検知部及び前記第２検知部の少なくとも一方は、マグネットとホール素子とを組み合わせたセンサーである請求項１に記載の画像読取装置。
【請求項７】
前記第１検知部及び前記第２検知部の少なくとも一方は、プッシュスイッチである請求項１に記載の画像読取装置。
【請求項８】
請求項１に記載の画像読取装置と、
前記画像読取装置で読み取った画像データを記憶する記憶部と、
前記画像データを記録媒体に印刷する印刷部とを備えた画像形成装置。
【発明の詳細な説明】
【技術分野】
【０００１】
本発明は、原稿の画像を読み取る画像読取装置及び画像読取装置を備えた画像形成装置に関する。
【背景技術】
【０００２】
原稿台に設置した原稿の画像を読み取った後、読み取った画像データをまとめて出力する画像処理装置が、例えば、特許文献１に開示されている。特許文献１の画像処理装置には、原稿台を覆う開閉自在の原稿カバーと、原稿カバーの開閉を検出する開閉検出部とを備えている。そして、開閉検出部には、赤外線センサー、超音波センサー及び磁気センサー等の非接触センサーが用いられていることが記載されている。これにより、本等の厚みがある原稿が原稿台に設置された場合でも、原稿カバーの開閉を検出することが可能である。
【先行技術文献】
【特許文献】
【０００３】
【特許文献１】特開２０１０−９１６５３号公報
【発明の概要】
【発明が解決しようとする課題】
【０００４】
しかしながら、特許文献１の画像処理装置では、原稿の厚さにかかわらず、原稿カバーが開であるか閉であるかを検出するだけであり、原稿が厚いときと薄いときとを分けて検出することができない。【０００５】
本発明は、上記従来技術の問題点に鑑み、カバーが開いていること及び原稿台にセットされた原稿の厚みを自動的に検出可能な画像読取装置を提供することを目的とする。
【課題を解決するための手段】
【０００６】
上記目的を達成するために、画像読取装置は、原稿台と、画像読取部と、カバーと、開閉支持部と、第１検知部と、第２検知部と、制御部とを備える。前記原稿台は読込面を備える。前記画像読取部は、前記読込面にセットされた原稿の画像を読み取る。前記カバーは、前記原稿台に設けられて前記読込面を開閉する。前記開閉支持部は、前記原稿台に対して接近離間可能であり、前記原稿台の前記読込面よりも後方側に設けられて前記カバーの前方側が前記原稿台に接近離間可能に支持する。前記第１検知部は、前記カバーの前方側が前記原稿台に対して第１距離以内にあることを検知する。前記第２検知部は、前記開閉支持部が前記原稿台に対して第２距離以内にあることを検知する。前記制御部は、前記第１検知部による第１検知情報と前記第２検知部による第２検知情報とをそれぞれ取得するとともに、前記第１検知情報及び前記第２検知情報に基づいて、セットされた原稿が一定以上の厚さを有する原稿であるか否かを識別する。
【発明の効果】
【０００７】
本発明によれば、カバーが開いていること及び原稿台にセットされた原稿の厚みを自動的に検出可能な画像読取装置を提供することができる。
【図面の簡単な説明】
【０００８】
【図１】本発明にかかる複合機の主要構成を示す機能ブロック図である。
【図２】図１に示す複合機の一例の概略構成を示す図である。
【図３】画像読取装置の主要構成を示す機能ブロック図である。
【図４】画像読取部の筐体に開閉支持部を介して取り付けられたカバーの側面図である。
【図５】図４に示す画像読取部の筐体及びカバーの平面図である。
【図６】カバーが開いている状態の画像読取装置を示す側面図である。
【図７】コンタクトガラスに薄い原稿がセットされている状態の画像読取装置を示す側面図である。
【図８】コンタクトガラスに厚い原稿がセットされている状態の画像読取装置を示す側面図である。
【図９】本発明にかかる画像読取装置による原稿の画像を読み取る手順を示すフローチャートである。
【図１０】本発明にかかる画像読取装置で開いた本の読み取りを行っている状態を示す図である。
【発明を実施するための形態】
【０００９】
以下、図面を参照して、画像形成装置として複合機１００を例に挙げ、本発明の実施形態を説明する。本実施の形態に記載されている構成、配置等の各要素は、発明の範囲を限定せず、単なる説明例にすぎない。
【００１０】
（第１実施形態）
図１は本発明にかかる画像読取装置を含む複合機の主要構成を示す機能ブロック図である。図２は、図１に示す複合機の一例の概略構成を示す図である。なお、以下の説明では、図２に示す複合機１００を基準として上下を定義する。また、前方（正面側）又は後方（背面側）については、図２に示す複合機１００を基準として紙面手前側を前方（正面側）、紙面奥側を後方（背面側）と定義する。
【００１１】
（複合機１００）
複合機１００は、例えば、コピー機能、プリンター機能、スキャナー機能及びＦＡＸ機能等の複数の機能を兼ね備えた複合機である。
【００１２】
図１、図２に示すように、複合機１００には、画像読取装置２００が設けられている。そして、複合機１００は、主制御部１、印刷部２、記憶部３を備える。また、複合機１００は、操作パネル６と、通信部７と、を含む。
【００１３】
主制御部１は、複合機１００の全体制御を司る。主制御部１は、ＣＰＵ１１を含む。記憶部３は、制御に関するプログラムやデータを記憶する。記憶部３は、ＲＯＭ、ＨＤＤやフラッシュＲＯＭのような不揮発性メモリーとＲＡＭのような揮発性のメモリーを含む。主制御部１は、記憶部３のプログラムやデータを利用して各部を制御する。主制御部１は、コピーや送信のようなジョブのときに行われるスキャン、印刷、送信、画像データの記憶等を制御する。
【００１４】
（印刷部２）
印刷部２は、給紙部２ａ、搬送部２ｂ、画像形成部２ｃ、定着部２ｄ及び用紙排出部２ｅを含む。給紙部２ａは、記録用紙を供給する。搬送部２ｂは、記録用紙を搬送し、印刷済みの記録用紙を機外に排出する。画像形成部２ｃは、画像データに基づきトナー像を形成し、搬送される記録用紙にトナー像を転写する。定着部２ｄは、転写されたトナー像を記録用紙に定着させる。主制御部１は印刷部２の動作を制御する。
【００１５】
図２に示すように、給紙部２ａは、複数の給紙カセット２１を備える。複数の給紙カセット２１には記録用紙が収容されている。複数の給紙カセット２１のそれぞれに収容された記録用紙は、互いに大きさ及び方向の少なくとも一方が異なる。主制御部１は、ユーザーの指示に基づいて記録用紙の適切な大きさ、方向等を選択する。そして、適切な記録用紙が収容された給紙カセット２１を選択する。そして、給紙部２ａは、主制御部１からの指示に従って、選択された給紙カセット２１から記録用紙を繰り出す。
【００１６】
図２に示すように、印刷部２と画像読取装置２００との間に設けられた隙間に配される排出トレイ２２を備えており、定着部２ｄで画像が定着された記録用紙は、用紙排出部２ｅによって、排出トレイ２２に排出される。
【００１７】
（操作パネル６）
操作パネル６は、表示パネル６１、タッチパネル６２、ハードキー６３を含む。タッチパネル６２は、ユーザーのタッチ位置を検知するためのものである。主制御部１は、タッチパネル６２の出力に基づき、表示パネル６１に表示されたキーやボタンのような操作画像のうち、操作されたものを認識する。ハードキー６３は、ジョブの実行開始を指示するためのスタートキーや、数字を入力するためのテンキーを含む。主制御部１は、操作パネル６の状態や各種メッセージや設定用画面を表示パネル６１に表示させる。また、操作パネル６は、スキャンやコピーのようなジョブに関し、タッチパネル６２、ハードキー６３に対する設定操作を受け付ける。なお、詳細は後述するが、画像読取装置２００が接続されている場合は、操作パネル６で画像読取装置２００の設定、操作を可能としてもよい。
【００１８】
（通信部７）
通信部７は、ＰＣのようなコンピューター３００、サーバー４００及びＦＡＸ装置５００等と、有線及び（又は）無線ネットワーク、公衆回線等を介して通信可能に接続される。また、これら以外の機器であって、画像データのやり取りを行う機器が接続される場合もある。
【００１９】
図２に示すように、画像読取装置２００は箱形の筐体（原稿台）を有し、複合機１００において、印刷部２の上方に配置される。
【００２０】
（画像読取装置２００）
画像読取装置２００のさらなる詳細について、新たな図面を参照して説明する。図３は、画像読取装置の主要構成を示す機能ブロック図である。図３に示すように、画像読取装置２００は、画像読取部４と、原稿搬送部５０と、制御部８と、操作部９と、を有する。
【００２１】
（画像読取部４）
画像読取部４は、制御部８の制御に基づいて、画像読取部４の筐体４０（原稿台）の上面に装着された、原稿の画像を読み取り、画像データを生成する。図２に示すように、画像読取部４は、原稿を載置するためのコンタクトガラス４１（読取面）を備えている。画像読取部４は、さらに、コンタクトガラス４１にセットされた原稿又はコンタクトガラス４１へ搬送される原稿の各画像を読み取る読取ユニット４３を備えている。
【００２２】
読取ユニット４３は、コンタクトガラス４１にセットされた原稿又は搬送された原稿に対して光を照射し、その反射光を受光素子（不図示）で受光することで、原稿に画像を読み取り、画像データとして出力する。なお、読取ユニット４３は、画像データを制御部８に送信する。また、読取ユニット４３から照射される光の光量や読取時の解像度等は、制御部８によって制御される。
【００２３】
また、画像読取部４は、カバー５をコンタクトガラス４１に対して開閉可能に支持する後述の開閉支持部４４と、カバー５の開閉を検知する第１検知部４５、第２検知部４６とが設けられている。開閉支持部４４は、筐体４０のコンタクトガラス４１よりも後方に設けられている。また、第１検知部４５及び第２検知部４６は、それぞれ、第１検知センサー４５１及び第２検知センサー４６１を備えており、第１検知センサー４５１及び第２検知センサー４６１は制御部８と接続されている。
【００２４】
（カバー５）
カバー５は、画像読取部４の筐体４０の上部に取り付けられて、開閉支持部４４を中心に回動することで、コンタクトガラス４１の上面を開閉する。また、カバー５には、シート状の原稿を１枚ずつコンタクトガラス４１に搬送する原稿搬送部５０が備えられている。原稿搬送部５０は、原稿が載置される原稿載置台５１と、画像読み取り済みの原稿が排出される原稿排出部５２と、原稿搬送機構５３と、を備える（図２参照）。原稿搬送機構５３は、図略の給紙ローラー及び搬送ローラー等を備える。原稿搬送機構５３は、給紙ローラー及び搬送ローラーの駆動により、原稿載置台５１に載置された原稿を１枚ずつ繰り出してコンタクトガラス４１へ搬送する。コンタクトガラス４１に搬送された原稿は読取ユニット４３によって読み取られた後、原稿排出部５２に排出される。
【００２５】
画像読取装置２００では、原稿搬送部５０により搬送された原稿又はコンタクトガラス４１にセットされた原稿を読取ユニット４３で光学的に読み取り、画像データを生成する。
【００２６】
（制御部８）
制御部８は、基板上にＣＰＵ、メモリー、集積回路等が実装された構成を含む。制御部８は、コンタクトガラス４１にセットされた原稿の読み取り、原稿搬送部５０にセットされた原稿のコンタクトガラス４１への搬送、原稿読み取り時の読取ユニット４３の設定（例えば、読取ユニット４３から原稿に照射される光の光量、読み取り時に解像度等）を制御する。そして、読取ユニット４３で読み取られた原稿の画像データに対し、トリミング、シェーディング等の読み取りに起因する画像データの歪みを補正する処理を行う。なお、制御部８は主制御部１と独立して動作してもよいし、画像読取装置２００が、複合機１００に一体的に含まれる場合には、制御部８の機能が主制御部１に含まれている、すなわち、制御部８の動作を主制御部１が行ってもよい。
【００２７】
操作部９は、ユーザーによる操作を受け付ける。ユーザーによる操作部９の操作に基づいて、画像読取装置２００の設定、操作が行われる。例えば、操作部９には、読取開始キー（不図示）が備えられており、読取開始キーが操作されることで、原稿の読取が開始される。なお、詳細は省略するが、操作部９は、ハードキーを含む構成であってもよいし、操作パネル６のように、表示パネルとタッチパネルを含むものであってもよい。また、画像読取装置２００が、複合機１００に一体的に取り付けられている場合には、操作部９を操作パネル６で代行してもよい。また、操作パネル６で操作できる場合には、操作部９を省略してもよい。
【００２８】
（開閉支持部４４）
図４は、画像読取部の筐体に開閉支持部を介して取り付けられたカバーの側面図である。図５は、図４に示す画像読取部の筐体及びカバーの平面図である。なお、カバーの開閉の説明を行う場合において、原稿搬送部５０の図示は省略している。すなわち、図４、図５では、平板状のカバーを用いているものとして説明する。
【００２９】
図４及び図５に示すように、開閉支持部４４は、支持体４４１と、回転支持部４４２と、桿体部４４３と、抜止部４４４とを備えている。支持体４４１は、筐体４０の上方で、コンタクトガラス４１の後方に配された長尺状の部材である。支持体４４１は、筐体４０の上部に載置されており、筐体４０の支持体４４１と接触する部分には、貫通孔４０１が形成されている。支持体４４１は、筐体４０の上面に対して接近及び離間可能に配置されている。
【００３０】
回転支持部４４２は、支持体４４１の前方側に設けられておりカバー５を枢支する、いわゆる、ヒンジである。回転支持部４４２は２個備えられており、カバー５を２箇所で支持している。なお、回転支持部４４２は、カバー５がコンタクトガラス４１に対して一定角度以上の角度で開いたとき、カバー５が閉じない、すなわち、コンタクトガラス４１に接近しないように保持する角度保持機構（不図示）が備えられている。
【００３１】
棹体部４４３は、支持体４４１の下面から下方に突出し、貫通孔４０１を貫通している。棹体部４４３は、支持体４４１が筐体４０に対して接近又は離間するときに貫通孔４０１内を摺動する。すなわち、支持体４４１は、棹体部４４３と貫通孔４０１によって、移動方向が規制される。棹体部４４３の支持体４４１と反対側の端部には、抜止部４４４が取り付けられている。抜止部４４４は、筐体４０の内部に配されており、貫通孔４０１よりも大きい。そのため、支持体４４１が上方に移動したとき、棹体部４４３も支持体４４１と一緒に、貫通孔４０１から外部に移動する。そして、棹体部４４３が一定量以上移動すると、抜止部４４４が、貫通孔４０１の辺縁部と接触する。抜止部４４４は、貫通孔４０１よりも大きいため、貫通孔４０１を通過できない。すなわち、抜止部４４４が貫通孔４０１の辺縁部と接触することで、支持体４４１の移動が停止する。すなわち、支持体４４１は、棹体部４４３の軸方向（上下方向の長さから筐体４０の厚みを引いた長さ移動可能である。
【００３２】
なお、開閉支持部４４は、この構成に限定されるものではない。カバー５の背面側がコンタクトガラス４１に対して一定距離以上離れることが可能であるとともに、背面側を軸にして正面側が開閉可能となるように、カバー５を支持できる構成の支持部を広く採用することができる。
【００３３】
（第１検知部４５）
第１検知部４５は、第１センサー４５１と、マグネット４５２とを備える。第１センサー４５１は、磁束の変化、すなわち、マグネットの接近又は離間を検出可能なホール素子を備える。第１センサー４５１は、筐体４０に配置されており、マグネット４５２は、カバー５に取り付けられている。そして、カバー５が閉じられているときに、第１センサー４５１とマグネット４５２とが、上下に重なる。
【００３４】
そして、第１センサー４５１は、マグネット４５２との距離が第１距離Ｌ１以下のときにＯＮ、すなわち、Ｈ状態になる。また、第１センサー４５１は、マグネット４５２との距離が第１距離Ｌ１よりも大きいときにＯＦＦ、すなわち、Ｌ状態になる。なお、第１センサー４５１は、ＯＮのときに制御部８に対してＨ信号を送信し、ＯＦＦのときには、信号を送信しない。
【００３５】
（第２検知部４６）
第２検知部４６は、第１検知部４５と同様の構成を有している。すなわち、第２検知部４６は、第２センサー４６１と、マグネット４６２とを備える。第２センサー４６１は、ホール素子を備える。第２センサー４６１は、筐体４０に配置されており、マグネット４６２は、カバー５に取り付けられている。そして、カバー５が閉じられているときに、第２センサー４６１とマグネット４６２とが、上下に重なる。
【００３６】
そして、第２センサー４６１は、マグネット４６２との距離が第２距離Ｌ２以下のときにＯＮ、すなわち、Ｈ状態になる。また、第２センサー４６１は、マグネット４６２との距離が第１距離Ｌ２よりも大きいときにＯＦＦ、すなわち、Ｌ状態になる。なお、第２センサー４６１は、ＯＮのときに制御部８に対してＨ信号を送信し、ＯＦＦのときには、信号を送信しない。
【００３７】
なお、第１検知部４５では、第１センサー４５１を筐体４０に、マグネット４５２をカバー５に取り付けたが逆であってもよい。しかしながら、第１センサー４５１は、信号を制御部８に送信するための配線（不図示）が接続される構成であるため、移動しない側、すなわち、筐体４０側に設けられることが好ましい。第２検知部４６も同様第２センサー４６１及びマグネット４６２は、一方が筐体４０で他方がカバー５に配置されていてもよいが、第２センサー４６１が筐体４０であることが好ましい。
【００３８】
（第１検知部４５と第２検知部４６の位置）
図４、図５に示すように、第１検知部４５は、第２検知部４６よりも支持体４４１から遠い部分に配置される。これにより、第１検知部４５は、カバー５の正面側の位置を検知し、第２検知部４６はカバー５の背面側の位置を検知する。なお、図４、図５に示すとおり、第１検知部４５は、カバー５の正面側の端部にマグネット４５２が及び正面側の端部と対向する筐体４０に第１センサー４５１が配置されている。また、第２検知部４６は、カバー５の背面側の端部にマグネット４６２が及び背面側の端部と対向する筐体４０に第２センサー４６１が配置されている。しかしながら、これに限定されず、カバー５の正面側及び背面側のコンタクトガラス４１に対する距離を検出可能な位置を広く採用することができる。
【００３９】
上述のとおり、制御部８には、第１センサー４５１と、第２センサー４６１とが接続されている。そして、制御部８は、第１センサー４５１及び第２センサー４６１からの信号に基づいて、カバー５が、開いている、コンタクトガラス４１に薄い原稿がセットされている及びコンタクトガラス４１に厚い原稿がセットされているかを判別できる。以下に、カバー５の開閉について詳細に説明する。
【００４０】
（カバー５の開閉時の検知状態）
次に、カバー５が開閉するときの第１検知部４５と第２検知部４６の動作について説明する。画像読取装置２００では、例えば、シート状の記録用紙等の薄い原稿を読み取る場合もあるし、本等の厚い原稿を読み取る場合もある。いずれの場合でも、原稿をカバー５でコンタクトガラス４１に押し付けた状態で、読み取りを行う。画像読取装置２００では、第１検知部４５と第２検知部４６とを利用して、制御部８が原稿の厚みを識別することが可能である。以下に、原稿の厚みの識別について図面を参照して説明する。
【００４１】
図６は、カバーが開いている状態の画像読取装置を示す側面図である。図７は、コンタクトガラスに薄い原稿がセットされている状態の画像読取装置を示す側面図である。図８は、コンタクトガラスに厚い原稿がセットされている状態の画像読取装置を示す側面図である。
【００４２】
カバー５は開閉支持部４４によって支持されており、カバー５が閉じているとき、カバー５はコンタクトガラス４１に接触しており、支持体４４１は筐体４０に接触している。画像の読み取りを行う場合、ユーザーはカバー５の正面側をユーザーは、カバー５の正面側を上方に持ち上げて、コンタクトガラス４１を露出させ、コンタクトガラス４１に原稿をセットする。これにより、支持体４４１は筐体４０に接触したまま、回転支持体４４２を中心としてカバー５の前方側が上方に開く（回動する）。
【００４３】
このとき、図６に示すように、カバー５の背面側の端部は、筐体４０からあまり離れない。図６に示すように、第２検知部４６において、第２センサー４６１とマグネット４６２との距離が第２距離Ｌ２以下、すなわち、第２センサー４６１はＯＮ状態に維持される。第２センサー４６１は、Ｈ信号を制御部８に送信し続ける。
【００４４】
一方、カバー５の正面側の端部は、筐体４０から離れる。すなわち、図６に示すように、第１検知部４５において、第１センサー４５１とマグネット４５２との距離が第１距離Ｌ１よりも大きくなる。すなわち、第１センサー４５１はＯＦＦ状態になる。
【００４５】
以上のことから、制御部８は、第１センサー４５１、すなわち、第１検知部４５からのＨ信号を受信せずに、第２センサー４６１、すなわち、第２検知部４６からのＨ信号を受信しているときに、カバー５が開いていると判断する。
【００４６】
次に、薄い原稿Ｇｓが載置された場合について説明する。図７に示すように、薄い原稿Ｇｓをコンタクトガラス４１にセットし、カバー５を閉じる。このとき、カバー５の正面側の端部及び背面側の端部のいずれも筐体４０と接近した状態が維持される。図７に示すように、第１検知部４５において、第１センサー４５１とマグネット４５２との距離が第１距離Ｌ１以下であり、第１センサー４５１はＯＮである。また、第２センサー４６１とマグネット４６２との距離が第２距離Ｌ２以下であり、第２センサー４６１はＯＮである。これにより、制御部８は、第１センサー４５１及び第２センサー４６１の両方からＨ信号を受信する。
【００４７】
以上のことから、制御部８は、第１センサー４５１、すなわち、第１検知部４５からＨ信号を受信するとともに、第２センサー４６１、すなわち、第２検知部４６からのＨ信号を受信しているときに、コンタクトガラス４１に薄い原稿Ｇｓがセットされていると判断する。
【００４８】
そして、厚い原稿Ｇｔが載置された場合について説明する。図６に示すカバー５が開かれた状態で、厚い原稿Ｇｔがコンタクトガラス４１にセットされる。そして、カバー５の正面側を筐体４０に接近させてカバー５が閉じられる。このとき、カバー５の背面側が、正面側よりも先に厚い原稿Ｇｔに接触する。そして、カバー５の正面側は、自重により又はユーザーの操作によって、さらに筐体４０に接近する方向に移動される。
【００４９】
これまで、カバー５は、開閉支持部４４の回転支持部４４２を中心に回動していたが、厚い原稿Ｇｔの背面側の端部と接触したことで、厚い原稿Ｇｔの背面側の端部との接触点を中心に回動する。これにより、カバー５の正面側は筐体４０に接近し、背面側は筐体４０から離間する。このとき、カバー５の背面側の移動に連動して、支持体４４１が筐体４０から持ち上げられる。
【００５０】
そして、図８に示すように、カバー５が厚い原稿Ｇｔの上面と接触したとき、カバー５の背面側の端部及びカバー５の書面側の端部は、いずれも筐体４０から離間した状態になる。図８に示すように、第１検知部４５において、第１センサー４５１とマグネット４５２との距離が第１距離Ｌ１よりも大きく、第１センサー４５１はＯＦＦである。また、第２センサー４６１とマグネット４６２との距離が第２距離Ｌ２よりも大きく、第２センサー４６１はＯＦＦである。これにより、制御部８は、第１センサー４５１及び第２センサー４６１の両方からＨ信号を受信しない。
【００５１】
以上のことから、制御部８は、第１センサー４５１、すなわち、第１検知部４５からの信号を受信しておらず、第２センサー４６１、すなわち、第２検知部４６からのＨ信号を受信していないときに、コンタクトガラス４１に厚い原稿Ｇｔがセットされていると判断する。
【００５２】
（薄い原稿と厚い原稿のセットについて）
画像読取装置２００において、薄い原稿Ｇｓがセットされた場合と、厚い原稿Ｇｔがセットされた場合について説明する。図７に示すように、薄い原稿Ｇｓをコンタクトガラス４１にセットし、カバー５を閉じる。このとき、カバー５の正面側の端部及び背面側の端部のいずれも筐体４０と接近した状態が維持される。カバー５が、コンタクトガラス４１を覆う。すなわち、薄い原稿Ｇｓの場合、コンタクトガラス４１をカバー５で覆うことができるため、外部の光がコンタクトガラス４１に入りにくい又は読取ユニット４３からの光が外部に漏れにくい。
【００５３】
一方で、厚い原稿Ｇｔの場合には、コンタクトガラス４１の原稿と接触していない部分から外部の光が入射しやすい又は読取ユニット４３からの光が外部に漏れやすい。なお、読取ユニット４３からの光が外部に漏れると、光が外部に漏れた部分では、反射光が入射しないため、画像データでは、光が漏れた部分は黒く塗りつぶされる。
【００５４】
このように、コンタクトガラス４１に薄い原稿Ｇｓがセットされた場合と、厚い原稿Ｇｔがセットされた場合とでは、読取ユニット４３による原稿を読み取る条件が異なる。そのため制御部８は、コンタクトガラス４１に薄い原稿Ｇｓがセットされたときの読取ユニット４３による原稿読み取り設定と、コンタクトガラス４１に厚い原稿Ｇｔがセットされたときの読取ユニット４３による原稿読み取り設定とをそれぞれ用意しておき、セットされた原稿の厚みによって設定を変更することが可能である。
【００５５】
また、コンタクトガラス４１に薄い原稿Ｇｓがセットされているときと、原稿がセットされておらずカバー５が閉じているときとは、いずれも、制御部８に第１検知部４５及び第２検知部４６の両方からＨ信号が入力されている。
【００５６】
そこで、制御部８は、操作部９の読取開始キーの操作が実行される前の第１検知部４５からの信号と第２検知部４６からの信号に基づいて、薄い原稿Ｇｓがセットされているのか、閉じられているのか判断している。この、薄い原稿Ｇｓがセットされているか綴じられているのかの判断について図面を参照して説明する。
【００５７】
図９は、本発明にかかる画像読取装置による原稿の画像を読み取る手順を示すフローチャートである。なお、図９に示すフローチャートでは、カバー５が閉じた状態から開始されるものとする。例えば、原稿の読取が行われないときには、カバー５は常に閉じられた状態になっているものとする。
【００５８】
画像読取装置２００では、カバー５が開かれる又は操作部９への入力の実行を検知したときに、起動される（ステップＳ１０１）。
【００５９】
コンタクトガラス４１に原稿をセットして、読取ユニット４３で原稿を読み取るときには、必ず、カバー５が開かれる。そのため、制御部８は、カバー５が開かれたか否かを確認する（ステップＳ１０２）。なお、カバー８が開かれたか否かは、上述した通り第１検知部４５及び第２検知部４６からのＨ信号の有無で判定される。
【００６０】
カバー５が開かれなかった場合（ステップＳ１０２でＮｏの場合）、制御部８は操作部９の読取開始キーが操作されたか、すなわち、読取開始の指示があったか否か確認する（ステップＳ１０３）。読取開始の指示がない場合（ステップＳ１０３でＮｏの場合）、カバー５が開いたか否かの確認（ステップＳ１０２）に戻る。
【００６１】
また、読取開始の指示を受けた場合（ステップＳ１０３でＹｅｓの場合）、制御部８はドアー５が開かれることなく読み取りが開始されたと判断する。そして、制御部８は、原稿搬送部５０を駆動して、コンタクトガラス４１への原稿の搬送を開始する（ステップＳ１０４）。そして、制御部８は読取ユニット４３を制御して、コンタクトガラス４１に搬送される原稿の画像の読み取りを実行する（ステップＳ１０５）。
【００６２】
また、スリープ状態から復帰した後カバー５が開かれた場合（ステップＳ１０２でＹｅｓの場合）、制御部８は第１検知部４５及び第２検知部４６からのＨ信号を受信する。すなわち、コンタクトガラス４１に薄い原稿Ｇｓがセットされたか否か確認する（ステップＳ１０６）。薄い原稿Ｇｓがセットされていると識別した場合（ステップＳ１０６でＹｅｓの場合）、制御部８は、読取ユニット４３を薄い原稿Ｇｓを読み取るときの設定に制御する（ステップＳ１０７）。
【００６３】
厚い原稿Ｇｔがセットされていると識別した場合（ステップＳ１０６でＮｏの場合）、制御部８は、読取ユニット４３を厚い原稿Ｇｔを読み取るときの設定に制御する（ステップＳ１０８）。
【００６４】
そして、制御部８は、読取ユニット４３の設定を変更した後（ステップＳ１０７又はステップＳ１０８の後）、操作部９の読取開始キーが操作されたか、すなわち、読取開始の指示があったか否か確認する（ステップＳ１０９）。制御部８は読取開始の指示があるまで待って、読取開始の指示があった後、制御部８は原稿の読取を開始する（ステップＳ１１０）。
【００６５】
以上示したように、本発明にかかる画像読取装置２００では、制御部８は、カバー５の開閉の実行の有無によって、カバー５が閉じられた状態が維持されているのか、薄い原稿Ｇｓがセットされているのかを判断することができる。そして、制御部８は、第１検知部４５及び第２検知部４６からの信号を取得することで、コンタクトガラス４１にセットされた原稿が薄い原稿Ｇｓか厚い原稿Ｇｔか自動で識別することが可能である。そして、制御部８が、原稿の厚さによって、読取ユニット４３の読み取り設定を選択することで、原稿の画像を読み取った画像データの品質を一定に保つことが可能である。なお、読み取り設定は、予め備えられているものであってもよいし、ユーザーによって決定されたものを記憶しておき、呼び出すようにしてもよい。
【００６６】
本実施形態において、第１検知部４５は、第１センサー４５１とマグネット４５２との距離が第１距離Ｌ１以下のときにＯＮになり、第２検知部４６は、第２センサー４６１とマグネット４６２との距離が第２距離Ｌ２以下のときにＯＮになる。このとき、第１距離Ｌ１及び第２距離Ｌ２は、同じであってもよいし、異なる値であってもよい。なお、第１距離Ｌ１及び第２距離Ｌ２は、コンタクトガラス４１に厚い原稿Ｇｔがセットされたときに第１検知部４５及び第２検知部４６が確実にＯＦＦになり、薄い原稿Ｇｓがセットされたときに第１検知部４５及び第２検知部４６が確実にＯＮになる距離を採用することができる。換言すると、第１距離Ｌ１及び第２距離Ｌ２を調整することで、厚い原稿Ｇｔとして検知される原稿の厚みを調整することが可能である。
【００６７】
また、第１検知部４５及び第２検知部４６として、磁気を検知するホール素子を利用した、磁気センサー採用しているが、これに限定されない。例えば、光センサー、超音波センサー等の非接触センサーを用いて、カバー５の筐体４０からの距離が一定以上離れているか否か確認できるものであってもよい。また、プッシュスイッチ等のカバー５が直接接触してＯＮ又はＯＦＦに切り替わるセンサーを利用してもよい。しかしながら、第１検知部としてプッシュスイッチを用いると、スイッチが邪魔になる場合があるため、プッシュスイッチは、第２検知部として用いることが好ましい。
【００６８】
複合機１００では、以上のようにして、画像読取装置２００で読み取った画像データは、記憶部３に記憶されて、印刷部２を用いて、記録用紙に画像を記録（印刷）する。
【００６９】
（第２実施形態）
本発明にかかる画像読取装置２００の他の例について図面を参照して説明する。図１０は、本発明にかかる画像読取装置で開いた本の読み取りを行っている状態を示す図である。本実施形態の画像読取装置２００は、画像読取時における制御部８の処理が、第１実施形態の画像読取装置２００と異なる。本実施形態の画像読取装置２００の構成は、第１実施形態の画像読取装置２００の構成と実質上同じである。そのため、本実施形態の画像読取装置２００において、第１実施形態の画像読取装置２００と実質上同じ部分には、同じ符号を付すとともに、同じ部分の詳細な説明は省略する。
【００７０】
図１０に示すように、画像読取装置２００で、開いた状態の本Ｇｂ（本Ｇｂの見開きページ）の画像を読み取る場合がある。多くの本では、背面が閉じられている。そのため、開いた状態でコンタクトガラス４１に本Ｇｂをセットすると、中央部分（閉じられた部分）が、上方にせりあがる。そして、カバー５で本Ｇｂを上から押しても、中央部分は、コンタクトガラス４１から離れる。本の大きさ（厚さ、製本の方法、硬さ等）にもよるが、開いた状態の本がコンタクトガラス４１にセットされると、制御部８は、厚い原稿がセットされていると判断する。
【００７１】
図１０に示すように、開いた本のコンタクトガラス４１と対向したページは中央部分が湾曲しており、画像が歪む。そこで、本実施形態の画像読取装置２００では、制御部８は、読み取った画像データの中央部分の画像の歪みを修正する中央歪み補正処理を実行できる。また、制御部８は、読み取った画像データに含まれる文字列を読み取る画像処理、いわゆる、ＯＣＲ文字認識も可能である。また、これら以外の画像処理を行うようにしてもよい。なお、実行する画像処理については、予め設定されていてもよいし、ユーザーによって選択されている画像処理を行うようにしてもよい。
【００７２】
例えば、画像読取装置２００で本Ｇｂの内容を読み取る場合、開いたページによって、中央部のせり上がりの高さが変化する。すなわち、中央部分の画像の歪みが変化する。そのため、開いたページによっては、薄い原稿と識別される場合と、厚い原稿Ｇｔと識別される場合とある。そこで、本実施形態の画像読取装置２００の制御部８は、セットされている原稿が厚い原稿Ｇｔと識別した場合には、読み取られた画像データに対して、中央歪み補正処理を施す。一方、制御部８は、薄い原稿Ｇｓと識別した場合には、画像処理を行わない。
【００７３】
このように、本実施形態の画像読取装置２００では、原稿の厚みに応じて、読み取った画像データに対して、自動で画像処理を行う。そのため、読み取られた画像データを確認して、画像処理を実施するか否か決定するといったユーザーの手間を省くことが可能である。
【００７４】
なお、本Ｇｂによっては、開いたページにかかわらず、常に、厚い原稿Ｇｔとして識別されるものもある。このような本が原稿としてセットされた場合、制御部８は、読み取った画像データから文字列を識別するＯＣＲ文字認識を自動的に実行してもよい。
【００７５】
また、例えば、画像読取装置２００で、複数の本の画像を連続して読み取る場合もある。本の厚みや製本の仕方によって、薄い原稿Ｇｓに識別されるものと厚い原稿Ｇｔに識別されるものとが入り混じる場合がある。この場合であっても、制御部８が原稿の厚みによって読み取った画像データに画像処理を自動的に実行するため、ユーザーの手間を省くことが可能である。
【００７６】
なお、第１実施形態のように、本ではないが厚みのある原稿がセットされる場合もある。そのため、画像読取装置２００では、本の読み取りを行うモード（中央歪み補正を自動で行うモード）、通常の原稿を読み取るモード（画像処理を行わないモード）、ＯＣＲ読取モード（本がセットされた場合にＯＣＲを自動で行うモード）等のモードの選択が可能となっていてもよい。
【００７７】
以上示した画像読取装置２００では、コンタクトガラス４１にセットされた原稿の厚みを、正確に識別することが可能である。そして、原稿の厚みを識別した後に、自動的に原稿の厚みに応じて設定された読取条件で画像を読み取ったり、読み取り後の画像データに画像処理を施したりすることができる。これにより、ユーザーの画像読み取り時の手間を省き、ユーザーの利便性を高めることが可能である。
【００７８】
以上示した実施形態では、画像読取装置２００として、複合機１００に含まれる画像読取装置２００を例に説明しているが、画像読取装置２００だけが独立して用いられてもよい。
【００７９】
上述の各実施形態では、画像形成部として、トナー像を形成する電子写真方式の画像形成部を採用しているが、インクを吹き付けて画像を形成するインクジェット式の画像形成部を採用した構成であってもよい。
【００８０】
本発明にかかる画像読取装置の一例は、読込面を備えた原稿台と、前記読込面にセットされた原稿の画像を読み取る画像読取部と、前記原稿台に設けられて前記読込面を開閉するカバーと、前記原稿台に対して接近離間可能であり、前記原稿台の前記読込面よりも後方側に設けられて前記カバーの前方側が前記原稿台に接近離間可能に支持する開閉支持部と、前記カバーの前方側が前記原稿台に対して第１距離以内にあることを検知する第１検知部と、前記開閉支持部が前記原稿台に対して第２距離以内にあることを検知する第２検知部と、制御部と、を備え、前記制御部は、前記第１検知部による第１検知情報と前記第２検知部による第２検知情報とをそれぞれ取得するとともに、前記第１検知情報及び前記第２検知情報に基づいて、セットされた原稿が一定以上の厚さを有する原稿であるか否かを識別することを特徴とする。
【００８１】
このような構成とすることで、カバーの前側の位置を第１検知部で、カバーの後側の位置を第２検知部でそれぞれ検知し、その検知結果によって、カバーの状態（すなわち、カバーの全体が読取面に接触又は近接している、カバーの前側が読取面から離れている、カバーの全体が読取面から離れていることを検知できる。この状態に基づいて、読取面にセットされている原稿が一定以上の厚さを有しているか否か判断可能である。
【００８２】
上記構成において、前記第１距離と前記第２距離とが同じ距離であってよい。このように構成することで、第１検知部と第２検知部のセンサーを同一のものとすることができ、製造時の確認作業を減らすことが可能であり、製造コストを下げることができる。
【００８３】
上記構成において、前記制御部は、識別された原稿の種類に基づいて、前記画像読取部による原稿読み取り設定を変更してもよい。例えば、薄い原稿がセットされた場合には、読取面の全体がカバーで覆われ、読取面の原稿の辺縁部から光が漏れにくい。一方、厚い原稿がセットされた場合には、原稿の外縁よりも外側に、読取面とカバーとの間に隙間が形成される。この隙間から、外部の光が入射したり、読み込み時の光が外部に漏れたりする場合がある。そこで、厚い原稿がセットされているときには、読取ユニットから出射される読み取り用の光の光量を少なくしたり、読取解像度を落としたりすることで、原稿の厚さによる読取画像の品質のばらつきを抑制できる。これにより、原稿ごとに読み取り設定を変更するユーザーの手間を省くことができる。
【００８４】
上記構成において、前記制御部は、識別された原稿の種類に基づいて、前記画像読取部で読み取られた画像データに対する画像処理の設定を決定してもよい。例えば、本の見開きページを読み取る場合に、読取面にセットされた本では、中央部分がせり上がるため、厚い原稿と判断される場合が多い。せり上がった部分は、湾曲しているため、上述のような光の漏れや進入が発生するとともに、文字や画像が歪む。そこで、厚い原稿と判断した時には、このような歪みを補正する画像処理を自動的に行うようにしてもよい。このようにすることで、原稿ごとに読み取り設定を変更するユーザーの手間を省くことができる。なお、画像処理は、中央の歪みを補正する処理だけでなく、例えば、文字を読み取るＯＣＲ文字読取処理等を挙げることができる。また、制御部が実行可能な範囲において、ユーザーが設定した処理を行うようにしてもよい。
【００８５】
上記構成において、前記第１検知部は、前記カバーの前方側が前記原稿台に対して第１距離以内のときにＯＮになり、前記第２検知部は、前記開閉支持部が前記原稿台に対して第２距離以内のときにＯＮになり、前記制御部は、前記第１検知部のみＯＮのときにはカバーが開かれていると識別し、前記第１検知部及び前記第２検知部の両方がＯＮのときにはシート状の原稿であると識別し、前記第１検知部及び前記第２検知部のいずれもＯＮではないときには一定以上の厚さを有する原稿であると識別してもよい。このように、第１検知部及び第２検知部のＯＮ又はＯＦＦによって、カバーの位置及び厚い原稿か否か確認が容易である。なお、第１検知部は、前記カバーの前方側が前記原稿台に対して第１距離以内のときにＯＦＦになるものであってもよいし、前記第２検知部は、前記開閉支持部が前記原稿台に対して第２距離以内のときにＯＦＦになるものであってもよい。さらには、第１検知部及び第２検知部がカバーと原稿台との位置を段階的に検出するものであってもよい。このとき、読取設定や画像処理の設定を検出した段階ごとに変更するようにしてもよい。
【００８６】
上記構成において、前記第１検知部及び前記第２検知部の少なくとも一方は、マグネットとホール素子とを組み合わせたセンサーであってもよいし、プッシュスイッチであってもよい。
【００８７】
以上、本発明の実施形態を説明したが、本発明の範囲はこれに限定されず、発明の主旨を逸脱しない範囲で種々の変更を加えて実施することができる。
【産業上の利用可能性】
【００８８】
本発明は、シート束を綴じるシート処理装置やこれを備えた画像形成装置に利用可能である。
【図１】
2018135441.tif 000003
【図２】
2018135441.tif 000004
【図３】
2018135441.tif 000005
【図４】
2018135441.tif 000006
【図５】
2018135441.tif 000007
【図６】
2018135441.tif 000008
【図７】
2018135441.tif 000009
【図８】
2018135441.tif 000010
【図９】
2018135441.tif 000011
【図１０】
2018135441.tif 000012
【手続補正書】
【提出日】平成31年4月2日(2019.4.2)
【手続補正１】
【補正対象書類名】特許請求の範囲
【補正対象項目名】全文
【補正方法】変更
【補正の内容】
【特許請求の範囲】
【請求項１】
読込面を備えた原稿台と、
前記読込面にセットされた原稿の画像を読み取る画像読取部と、
前記原稿台に設けられて前記読込面を開閉するカバーと、
前記原稿台に対して接近離間可能であり、前記原稿台の前記読込面よりも後方側に設けられて前記カバーの前方側が前記原稿台に接近離間可能に支持する開閉支持部と、
前記カバーの前方側が前記原稿台に対して第１距離以内にあることを検知する第１検知部と、
前記開閉支持部が前記原稿台に対して第２距離以内にあることを検知する第２検知部と、
制御部と、を備え、
前記制御部は、前記第１検知部による第１検知情報と前記第２検知部による第２検知情報とをそれぞれ取得するとともに、前記第１検知情報及び前記第２検知情報に基づいて、セットされた原稿が一定以上の厚さを有する原稿であるか否かを識別することを特徴とする画像読取装置。
【請求項２】
前記第１距離と前記第２距離とが同じ距離である請求項１に記載の画像読取装置。
【請求項３】
前記制御部は、識別された原稿の種類に基づいて、前記画像読取部による原稿読み取り設定を変更する請求項１又は請求項２に記載の画像読取装置。
【請求項４】
前記制御部は、識別された原稿の種類に基づいて、前記画像読取部で読み取られた画像データに対する画像処理の設定を決定する請求項１から請求項３のいずれかに記載の画像読取装置。
【請求項５】
前記第１検知部は、前記カバーの前方側が前記原稿台に対して第１距離以内のときにＯＮになり、前記第２検知部は、前記開閉支持部が前記原稿台に対して第２距離以内のときにＯＮになり、
前記制御部は、前記第１検知部のみＯＮのときにはカバーが開かれていると識別し、前記第１検知部及び前記第２検知部の両方がＯＮのときにはシート状の原稿であると識別し、前記第１検知部及び前記第２検知部のいずれもＯＮではないときには一定以上の厚さを有する原稿であると識別する請求項１から請求項４のいずれかに記載の画像読取装置。
【請求項６】
前記第１検知部及び前記第２検知部の少なくとも一方は、マグネットとホール素子とを組み合わせたセンサーである請求項１から請求項５のいずれかに記載の画像読取装置。
【請求項７】
前記第１検知部及び前記第２検知部の少なくとも一方は、プッシュスイッチである請求項１から請求項５のいずれかに記載の画像読取装置。
【請求項８】
請求項１から請求項７のいずれかに記載の画像読取装置と、
前記画像読取装置で読み取った画像データを記憶する記憶部と、
前記画像データを記録媒体に印刷する印刷部とを備えた画像形成装置。
【手続補正２】
【補正対象書類名】明細書
【補正対象項目名】００２３
【補正方法】変更
【補正の内容】
【００２３】
また、画像読取部４は、カバー５をコンタクトガラス４１に対して開閉可能に支持する後述の開閉支持部４４と、カバー５の開閉を検知する第１検知部４５、第２検知部４６とが設けられている。開閉支持部４４は、筐体４０のコンタクトガラス４１よりも後方に設けられている。また、第１検知部４５及び第２検知部４６は、それぞれ、第１センサー４５１及び第２センサー４６１を備えており、第１センサー４５１及び第２センサー４６１は制御部８と接続されている。
【手続補正３】
【補正対象書類名】明細書
【補正対象項目名】００２９
【補正方法】変更
【補正の内容】
【００２９】
図４及び図５に示すように、開閉支持部４４は、支持体４４１と、回転支持部４４２と、棹体部４４３と、抜止部４４４とを備えている。支持体４４１は、筐体４０の上方で、コンタクトガラス４１の後方に配された長尺状の部材である。支持体４４１は、筐体４０の上部に載置されており、筐体４０の支持体４４１と接触する部分には、貫通孔４０１が形成されている。支持体４４１は、筐体４０の上面に対して接近及び離間可能に配置されている。
【手続補正４】
【補正対象書類名】明細書
【補正対象項目名】００４２
【補正方法】変更
【補正の内容】
【００４２】
カバー５は開閉支持部４４によって支持されており、カバー５が閉じているとき、カバー５はコンタクトガラス４１に接触しており、支持体４４１は筐体４０に接触している。画像の読み取りを行う場合、ユーザーはカバー５の正面側を上方に持ち上げて、コンタクトガラス４１を露出させ、コンタクトガラス４１に原稿をセットする。これにより、支持体４４１は筐体４０に接触したまま、回転支持体４４２を中心としてカバー５の前方側が上方に開く（回動する）。
【手続補正５】
【補正対象書類名】明細書
【補正対象項目名】００５０
【補正方法】変更
【補正の内容】
【００５０】
そして、図８に示すように、カバー５が厚い原稿Ｇｔの上面と接触したとき、カバー５の背面側の端部及びカバー５の正面側の端部は、いずれも筐体４０から離間した状態になる。図８に示すように、第１検知部４５において、第１センサー４５１とマグネット４５２との距離が第１距離Ｌ１よりも大きく、第１センサー４５１はＯＦＦである。また、第２センサー４６１とマグネット４６２との距離が第２距離Ｌ２よりも大きく、第２センサー４６１はＯＦＦである。これにより、制御部８は、第１センサー４５１及び第２センサー４６１の両方からＨ信号を受信しない。
【手続補正６】
【補正対象書類名】明細書
【補正対象項目名】００５９
【補正方法】変更
【補正の内容】
【００５９】
コンタクトガラス４１に原稿をセットして、読取ユニット４３で原稿を読み取るときには、必ず、カバー５が開かれる。そのため、制御部８は、カバー５が開かれたか否かを確認する（ステップＳ１０２）。なお、カバー５が開かれたか否かは、上述した通り第１検知部４５及び第２検知部４６からのＨ信号の有無で判定される。
【手続補正７】
【補正対象書類名】明細書
【補正対象項目名】００６１
【補正方法】変更
【補正の内容】
【００６１】
また、読取開始の指示を受けた場合（ステップＳ１０３でＹｅｓの場合）、制御部８はカバー５が開かれることなく読み取りが開始されたと判断する。そして、制御部８は、原稿搬送部５０を駆動して、コンタクトガラス４１への原稿の搬送を開始する（ステップＳ１０４）。そして、制御部８は読取ユニット４３を制御して、コンタクトガラス４１に搬送される原稿の画像の読み取りを実行する（ステップＳ１０５）。
【国際調査報告】
2018135441.tif 000013
2018135441.tif 000014
2018135441.tif 000015
2018135441.tif 000016